(57)【特許請求の範囲】
【請求項１】
内部にろ過材が充填され、被処理水を供給するパイプに着脱可能なケーシングを備えたろ過装置であって、
該ろ過材として、熱可塑性繊維の集合体を形成し、該繊維の一部を加熱融着してなるろ過材を用い、
且つ、該ケーシングが、互いに嵌合する内筒と外筒と、該内筒、外筒の嵌合深さを変えて所定位置に着脱自在に係止する係止具とを備え、内筒と外筒との嵌合深さを変えて、所定位置に固定することにより、内部に充填したろ過材の充填密度を調整可能とした構成を有すること、
を特徴とするろ過装置。
【請求項２】
内部にろ過材が充填され、被処理水を供給するパイプに着脱可能なケーシングを備えたろ過装置であって、
該ろ過材として、熱可塑性繊維の集合体を形成し、該繊維の一部を加熱融着してなるろ過材を用い、
且つ、該ケーシングが、壁面が伸縮性素材の二重膜構造であるカートリッジ式タンクであり、二重膜構造を有するタンクの壁面の少なくとも一か所に二重膜構造の内部に流体を出し入れするバルブを設けてなり、バルブより流体を注入、排出して、内容積を変化させることで、内部に充填したろ過材の充填密度を調整可能とした構成を有すること、
を特徴とするろ過装置。
【発明の詳細な説明】
【０００１】
【発明の属する技術分野】
本発明は、ろ過装置、詳しくは、原水水質に応じてろ過性能を適宜変更することができ、ろ過材の再生、交換を簡便に行い得るろ過装置に関する。
【０００２】
【従来の技術】
近年、環境美化策の一環として、人工池や人工滝をビルの前庭や屋内、工場等の敷地内に設置することが広く行われているが、これらの人工池等の水は、通常は閉鎖系であるため定期的な水の浄化が必要とされる。これらの閉鎖水系の水は、飲用に使用されることは無く、外観の美化に重点がおかれているため、従来、その浄化には、砂利、砂層をろ過材として用いた砂ろ過装置が使用されていた。
【０００３】
砂利、砂層をろ過材として用いた砂ろ過装置は、低コストでの処理が可能である。しかしながら、ろ過を高速で行うとろ過効率が落ち、ろ過を充分に行うことができなかった。一方、ろ過効率を上げるためには、ろ過面積を広くしなければならず、ろ過装置が大容量になり狭い場所での使用に適さない等の問題点があった。また、従来の砂層を用いたろ過装置においては、ろ過材に付着した固形浮遊物を洗浄するための逆洗工程において多量の水を必要とし、曝気を行う装置においては空気の圧力を強くしなければ、充分な固形浮遊物の除去が行えず、逆洗に多大なエネルギーを必要としていた。
【０００４】
このため、本発明者らは、従来の砂ろ過等に比べて高速でろ過でき、コンパクトな装置となる繊維状のろ過材を用いたろ過装置を考案し、先に実開平７−２５９１４号として出願した。
【０００５】
しかし、この装置においても、ろ過層のヘッドスペースと、ろ過材再生のための逆洗システムは必要であるので、ある程度の容量を必要とするものであった。また、所望のろ過水量・処理される原水水質等により、必要なろ過材の充填量・ろ過層の体積、ろ過材の充填密度等が異なるため、ろ過装置として目的に応じた個別の設計が必要であった。
【０００６】
【発明が解決しようとする課題】
本発明の目的は、原水水質や所望の処理水量に応じてろ過性能を適宜変更しうるため、効率よく水を浄化することができるとともに、単一の設計で多目的に使用することができ、且つ、ろ過材の交換、再生を簡便に行い得るろ過装置を提供することにある。
【０００７】
【課題を解決するための手段】
本発明のろ過装置は、内部にろ過材が充填され、被処理水を供給するパイプに着脱可能なケーシングを備えたろ過装置であって、該ろ過材として、熱可塑性繊維の集合体を形成し、該繊維の一部を加熱融着してなるろ過材を用い、且つ、該ケーシングに、内部に充填したろ過材の充填密度を調整可能な圧密調整手段として、互いに嵌合しうる内筒と外筒とからなり、嵌合深さを変える手段、伸縮性素材の二重膜構造であるカートリッジ式タンクであり二重膜構造中に流体を出し入れすることで内容積を変える手段を設けたこと、を特徴とする。
【０００８】
この圧密調整手段は、ろ過材を充填する部位の容積を調整しうる手段であることが好ましく、具体的には、前記の如く、ろ過層のケーシング自体の内容積を調整する手段等が挙げられる。
【０００９】
本発明のろ過装置には、熱可塑性の繊維を集合体となし、該繊維の一部を融着固定してなるろ過材が充填されているため、浮遊固形物質を効率よく浄化することができ、さらに、ろ過材の圧密（充填密度）を調整することによって、所望のろ過性能を得ることができる。このろ過材をろ過材の充填密度調整及び着脱が可能な容器に充填して、ろ過装置に配置してあるため、目的に応じてろ過材の充填密度を、例えば、ろ過材が充填される部分の容積を変えることにより簡単に調整することができ、ろ過材の交換にあたっては、ろ過層のケーシングごとカートリッジ式に交換することができるので、ろ過材の交換を簡便かつ迅速に行うことができるとともに、ろ過材の再生をろ過装置の系外で簡単に行うことが可能である。
【００１０】
【発明の実施の形態】
以下、本発明を更に詳しく説明する。
【００１１】
図１は、本発明に係る内筒と外筒とのねじ込み深さを変えることにより、ケーシング内のろ過材の充填密度を調節しうるろ過装置を示す概略断面図である。
【００１２】
ろ過装置１０は、連結具１２Ａ、１２Ｂによって着脱自在に連結された略円筒形状のカートリッジ式ケーシング（以下、ろ過層及びそれを構成するケーシングを含め、タンクと称する）１４を備え、このタンク１４の上部周壁部には、連結具１２Ａを介して人工池等の水（被処理水）を供給するパイプ１６が接続されている。
【００１３】
カートリッジ式タンク１４は、雄ねじと雌ねじを切ってあり、互いに螺合しうる内筒１４Ａと外筒１４Ｂとからなるケーシングからなり、内筒１４Ａと外筒１４Ｂそれぞれの内部にろ過材１８の流出を防止するための金網２０Ａ、２０Ｂを有している。
【００１４】
内筒１４Ａと外筒１４Ｂとのねじ込み深さを変えることにより、タンク１４内の金網２０Ａ、２０Ｂによって区画された部分の容量、即ち、ろ過材の充填密度を調節して使用することができる。図２（Ａ）はカートリッジ１４の内筒１４Ａと外筒１４Ｂとのねじ込み深さを浅くして、金網２０Ａと金網２０Ｂとの間隔を広くした状態を示す概略断面図である。一定量のろ材を充填したときに、ねじ込み深さを浅くして、ろ過材の充填密度を小さくすれば、流量、即ち、単位時間あたりに処理しうる水の量は大きくなるが、細かい粒子は捕捉できない。図２（Ｂ）はカートリッジ１４の内筒１４Ａと外筒１４Ｂとのねじ込み深さを深くして、金網２０Ａと金網２０Ｂとの間隔を狭くした状態を示す概略断面図である。このように、ねじ込み深さを深くして、ろ過材の充填密度を大きくすれば、単位時間あたりに処理しうる水の量は小さくなるが、細かい粒子も捕捉できるようになる。
【００１５】
ろ過処理すべき水はパイプ１６の吐出口からカートリッジ式タンク１４内へ注入される。カートリッジ式タンク１４の内部には、繊維状ポリエステルろ過材１８を充填したろ過層が形成されている。カートリッジ式タンク１４の下部には池等にろ過処理後の清澄水を再供給するための流量調節弁を備えたパイプ２２が連結具１２Ｂを介して接続されている。
【００１６】
通常の池水等をろ過する時、池水等の被処理水はパイプ１６を通り、金網２０Ａ、２０Ｂによって区画された部分にろ過材１８が充填されたカートリッジ式タンク１４に供給され、充填されたろ過材１８の中を通過する。この過程において水中の浮遊固形物質がろ過される。ろ過された清澄水はタンク１４の下部から、流量調節弁を備えたパイプ２２によって再び池等に排出される。
【００１７】
この態様においては、内筒と外筒とのねじ込み深さを変えることでケーシング自体の内容積を調節して、ろ過材の充填密度を変化しうるろ過装置であるが、このようにケーシング自体の内容積を調節するろ過層の別の態様としては、図３の概略断面図に示すように互いに嵌合する内筒と外筒との嵌合深さを変えて、所定位置に着脱自在なベルト状の係止具で固定するものや、図４の概略断面図に示すように互いに嵌合する内筒と外筒との嵌合深さを変えて、ネジにより位置を移動しうる止め具で固定するもの等を挙げることができる。
【００１８】
本発明のろ過装置１０に用いられる好適なろ過材１８は、熱可塑性の繊維の集合体を形成し、該繊維の一部を融着固定してなるものであり、より具体的には、熱可塑性の短繊維をカードして束状となし、該束表面の繊維及び内部の繊維の一部を融着固定して紐状とし、これを切断して短柱状に成形したものが好適である。ろ過材は、通常、粒径が細かい程、浮遊固形物質を良好に除去しうるものであるが、粒径が細かすぎるとろ過層での保持が困難となり、流失し易くなり、粒径を大きくすると、細かい浮遊固形物質を除去することが不可能となる。そこで、本発明に係るろ過材１８は、熱可塑性繊維の短繊維集合体を一部融着し固定して、短繊維による細かい浮遊固形物質の除去を可能にすると共に、繊維の流失を防止し得るようになしたものである。好ましい態様としては、短繊維をカードして繊維方向を一定にし、束状に成形して紐状の繊維の集合体とし、この繊維の一部を加熱して互いに融着させて固定し、これを切断して短柱状に成形したもの等が挙げられる。ここで用いられる熱可塑性の短繊維の素材としては、ポリエステル、ポリプリロピレン、ポリアミド、ポリビニルアルコール、ポリアクリル等が挙げられ、これらは単独でも２種以上の繊維を混合して用いてもよい。また、短繊維は、通常の繊維形状であっても、中空繊維であっても、繊維表面にクラック等を有する変形繊維であってもよい。繊維表面に凹凸を有する変形繊維や中空繊維は、表面積が大きくなり、細かい浮遊固形物質の除去が効果的に行えるため、好ましく用いられる。
【００１９】
ろ過材のサイズとしては、ろ過材が前記の如くして形成された短柱状（円柱形）の場合、固形浮遊物質の除去効率の観点から、その直径は約２〜約１０ｍｍ程度が好ましく、特に、約３〜約６ｍｍ程度が好ましい。長さは、約２〜約１０ｍｍが好ましく、特に、約３〜約６ｍｍ程度が好ましい。
【００２０】
このろ過材１８は充填密度を変化させることにより、所望のろ過性能が得られるので、ろ過材１８が充填される部分の容積を変化させることによってろ過性能を制御できる。このため、汚れが少なく大量の水を処理したい場合には、ろ過材１８が充填される部分の容積を大きくして充填密度を低くし、水の汚染が著しい場合には、ろ過材１８が充填される部分の容積を小さして充填密度を高くして用いればよい。このように、本発明のろ過装置では、同じ装置で異なるろ過性能が得られるので、例えば、季節毎に汚染状態の変化する人工池の水処理等にも好適に使用することができ、条件の異なる原水に対しても、同じろ過装置を適用することができる。
【００２１】
図５は、本発明のろ過装置に適用しうる、内部にドーナツ形のチューブが配置されたカートリッジ式タンクの態様を示す概略断面図である。
【００２２】
カートリッジ式タンクのケーシング２４の内部には、水の注入口或いは排出口に隣接してゴム等の伸縮性材料で成形されたドーナツ形のチューブ２６が配置されている。チューブ２６のろ過材１８と接する端部には、直径がケーシング２４の内径に適合しており、且つ、チューブ２６の膨張、収縮に従って移動可能な金網２８Ａが配置され、また、ろ過水の排出パイプ方向には水を通過させ、ろ過材１８の流出を防止するための金網２８Ｂが固定されている。チューブ２６の少なくとも１箇所には流体を出し入れするためのバルブ３０が設けられている。チューブ２６の壁面２６Ａは蛇腹式の形状となっており、バルブ３０からチューブ２６内に空気や水などの流体を出し入れすることによってタンク２４内のろ過材１８の充填された部分の容積を変化させることができる。即ち、例えば、空気を注入するとドーナツ形のチューブ２６の蛇腹形状の壁面２６Ａが伸長し、チューブ２６の幅が大きくなる。このチューブ２６のろ過材１８と接する端部に配置された金網２８によってろ過材１８が圧縮され、ろ過材１８の充填密度を大きくすることができる。反対に、バルブ３０からチューブ２６内の空気を排出することによりドーナツ形のチューブ２６の蛇腹形状の壁面２６Ａが収縮して、金網２８によるろ過材１８の圧縮が緩和され、ろ過材１８の充填密度を小さくすることができる。この態様は、ろ過層のケーシング２４の容積は変化せず、ケーシング２４内にある通水可能な仕切り（ここでは金網２８Ａ）で区画されたろ過材充填部分の容積を調整するものである。
【００２３】
図６は、金網２８Ａの平面図である。金網２８Ａは、ドーナツ形のチューブ２６の平面形状に合わせて、水の通過口のみを金網として、その他の部分は水不透過性の材料で形成されているが、適当な枠材に保持され、チューブ２６の伸縮に従って移動しうるように配置されていれば、全面が金網で形成されていてもよい。
【００２４】
図７は、本発明のろ過装置に適用しうる、壁面が伸縮性素材の二重膜構造であるカートリッジ式タンクの態様を示す概略断面図である。
【００２５】
この態様では、カートリッジ式タンクのケーシング３２そのものがゴム等の伸縮性素材からなる二重膜構造となっている。二重膜構造を有するタンク３２の壁面の少なくとも一か所にこの二重膜構造の内部に空気や水などの流体を出し入れするバルブ３４が設けられている。バルブ３４より流体を注入すると、二重膜構造を有するタンク３２の壁面が膨張し、タンク３２の内容積が狭くなることによってろ過材１８の充填密度が大きくなり、バルブ３４より流体を排出するとタンク３２の内容積が大きくなりろ過材１８の充填密度が低くなるという構造になっている。
【００２６】
このタンク３２はケーシング自体が伸縮性素材からなる二重膜構造となっているため、パイプ１６、２２と着脱自在に連結する端部に、接着剤などによって強固に密着されていることが好ましい。また、ケーシング３２自体の形状を保持し、タンク３２の膨張、収縮が内容積の膨張、収縮に効果的に反映されるために，図７に示すように適当な外枠材３２Ａ内に配置することが好ましい。
【００２７】
このタンク３２は通常の使用においては二重膜間隙に空気を入れて用いればよいが、ろ過装置自体を池底等の水中に沈めて設置したい場合には、二重膜間隙に水などの液体を入れると安定性が良好になる。
【００２８】
図８は、本発明のろ過装置に適用しうる、内部にねじによって移動する金網を配置したカートリッジ式タンクの態様を示す概略断面図である。
【００２９】
このカートリッジ式タンク３６は略円筒状のケーシング３６Ａとふた体３６Ｂとからなり、ケーシング３６Ａとふた体３６Ｂとにはそれぞれ雄ねじ、雌ねじがきってあり、ねじによってふた体３６Ｂをケーシング３６Ａに固定できるようになっている。ケーシング３６Ａの内部の端部近傍には、その内周に合わせた直径を有する金網３８が固定されており、充填されたろ過材１８の流出を防止している。この金網３８の中央部には全長にねじを切った支柱４０が固定されており、支柱４０には固定された金網３８と平行に、ケーシング３６Ａの内周に合わせた直径を有する移動可能な金網４２が配置されており、ろ過材１８はケーシング３６Ａの内部の固定された金網３８と移動可能な金網４２とによって区画された部分に充填されている。この金網４２は支柱４０に形成されたねじに嵌め込まれたナット４４の締めつけによって位置を移動させることができる。ナット４４はちょうナットやつまみナットのような形状を有することが、使用性の観点から好ましい。ろ過材１８の充填密度を上げるときは、システムを一旦停止し、カートリッジ式タンク３６のケーシング３６Ａのふた体３６Ｂを開けてナット４４をしめつけ、固定された金網３８の方向へ移動可能な金網４２を移動させる。また、充填密度を低くするときは、反対に、ナット４４をゆるめて移動可能な金網４２を固定された金網３８から離れる方向に移動させればよい。このようにして、ろ過材１８の充填密度を調整することができる。
【００３０】
図９は、本発明のろ過装置に適用しうる、ケーシングのふた体に固定され、ふた体のしめ方によって移動しうる金網を配置したカートリッジ式タンクの態様を示す概略断面図である。
【００３１】
このカートリッジ式タンク４６は略円筒状のケーシング４６Ａとふた体４６Ｂとからなり、ケーシング４６Ａとふた体４６Ｂとにはそれぞれ雄ねじ、雌ねじがきってあり、ねじによってふた体４６Ｂをケーシング４６Ａに固定できるようになっている。ふた体４６Ｂの内部には、その内周に合わせた直径を有する金網４８が固定され、さらに、この金網４８の中央部に支柱５０が固定され、支柱５０の他端には金網４８と平行に金網４８と同じ直径の金網５２が固定されている。金網５２は、金網４８から一定の距離（支柱の長さ）離れて固定されることになる。また、ケーシング４６Ａの内部でふた体４６Ｂの反対側の端部近傍には、ろ過材１８の流出を防止するための金網５４が固定されている。ろ過材１８はケーシング４６Ａの内部の固定された金網５４とふた体４６Ｂの移動に従って移動可能な金網５２とによって区画された部分に充填されている。ふた体４６Ｂのしめ方によって金網５２の位置が移動し、金網５２と金網５４との間の距離を変化させることによってろ過材１８の充填密度が変化する。即ち、ケーシング４６Ａのふた体４６Ｂをねじ込むことによって、ふた体４６Ｂ内部の金網４８に支柱５０を介して固定された金網５２がケーシング４６Ａの内部に固定された金網５４の方向へ移動して、ろ過材１８の充填密度が高くなり、反対に、ふた体４６Ｂをゆるめることにより、金網５２を金網５４と反対の方向に移動させれば充填密度が低くなる。このようにして、ろ過材１８の充填密度を調整することができる。
【００３２】
図１０は、本発明のろ過装置に適用しうる、支柱を回転させることよって移動しうる網状の押さえ板を配置したカートリッジ式タンクの態様を示す概略断面図である。
【００３３】
このカートリッジ式タンクは、内部に網状の押さえ板５８を固定するための凸部６０を有している略円筒状のケーシング５６と移動可能な網状の押さえ板５８からなり、網状の押さえ板５８には、押さえ板５８の位置を変更させるための心棒６２が固定されている。
【００３４】
押さえ板５８の外周に沿って、カートリッジ式タンクのケーシング５６内に形成された押さえ板固定のための凸部６０に適合しうる凹部６４が形成されている。図１１（Ａ）は網状の押さえ板５８がタンク５６内に形成された凸部６０に適合した状態を示す概略図である。押さえ板５８を移動させる場合、押さえ板５８に固定された心棒６２を回転させて、タンク５６内壁に形成された凸部６０と押さえ板５８の凹部６４とを合わせ、凸部６０を通過させる。その後、心棒６２を回転させてタンク５６内壁に形成された凸部６０と押さえ板５８の凹部６４とずらして、前後２ヶ所の押さえ板固定のための凸部６０間に押さえ板５８を配置する。図１１（Ｂ）は、タンク５６内に形成された凸部６０によって網状の押さえ板５８が固定された状態を示す概略図である。
【００３５】
押さえ板５８を配置する位置を調整することによって、ろ過材１８が充填される部分の容積を変化させ、ろ過材１８の充填密度を調整することができる。
【００３６】
図５〜図１０に示されたろ過層の態様においては、ろ過層のケーシングの容積は変化せず、ケーシング内にあって移動可能であり、且つ、通水可能な仕切りで区画されたろ過材充填部分の容積を調整することによりろ過材の充填密度を調整している。
【００３７】
このような充填密度の調整手段を備えた別の態様としては、図１２の概略断面図に示される如き、ネジを切った支柱にナットによって移動可能に取りつけられた金網を有するケーシング等も挙げることができる。
【００３８】
本発明のろ過装置においては、ろ過材１８の充填密度は、処理される水の汚染の程度、例えば、原水の水質（浮遊物の量・粒子径等）や処理水量等により任意に選択することができるが、ろ過効率の観点からは、未加圧の状態に対して体積比９６％以下となるような圧縮率で充填されていることが好ましい。
【００３９】
前記各具体例では、ろ過層のカートリッジ式タンクは、ろ過装置に一個連結されて配置されていたが、処理条件によっては複数個連結して用いてもよく、また、ろ過材の充填密度の小さいものを第１フィルターに、高いものを第２フィルターに使うというようにして多段のろ過システムを構成することもできる。
【００４０】
このように、本発明のろ過材においては、原水の条件にかかわらず同一規格で製作できることから量産化し易く、大幅なコスト低減が図れるとともに、原水の汚濁状況が変化しても現場にて容易にろ過効率を調整でき、処理水の水質を維持することができる。
【００４１】
また、メンテナンスはカートリッジ自体を交換することによって実施可能であり、ろ過装置からカートリッジ式ろ化層のみをとりはずしてろ過材を洗浄しうるため、長期間再利用が可能であり、装置内に逆洗のためのシステムを必要とせず、装置の簡素化が可能である。
【００４２】
【発明の効果】
本発明のろ過装置は、上記構成としたため、原水水質や所望の処理水量に応じてろ過性能を適宜変更しうるため、効率よく水を浄化することができるとともに、単一の設計で多目的に使用することができ、且つ、ろ過材の交換、再生を簡便に行い得るという優れた効果を示す。
【図面の簡単な説明】
【図１】内筒と外筒とのねじ込み深さを変えることにより、カートリッジ内のろ過材の充填密度を調節しうるろ過装置を示す概略断面図である。
【図２】図１のろ過装置のろ過層において、（Ａ）はカートリッジの内筒と外筒とのねじ込み深さを浅くした状態を示し、（Ｂ）はカートリッジの内筒と外筒とのとのねじ込み深さを深くした状態を示す概略断面図である。
【図３】内筒と外筒との嵌合深さを変えて、所定位置にベルト状の係止具で固定することにより、カートリッジ内のろ過材の充填密度を調節しうるろ過装置を示す概略断面図である。
【図４】内筒と外筒との嵌合深さを変えて、ネジにより移動可能な係止具で固定することにより、カートリッジ内のろ過材の充填密度を調節しうるろ過装置を示す概略断面図である。
【図５】内部にドーナツ形のチューブが配置されたカートリッジ式タンクの態様を示す概略断面図である。
【図６】図５のろ過装置に用いられた金網を示す平面図である。
【図７】壁面が伸縮性素材の二重膜構造であるカートリッジ式タンクの態様を示す概略断面図である。
【図８】内部にねじによって移動しうる金網を配置したカートリッジ式タンクの態様を示す概略断面図である。
【図９】ケーシングのふた体に固定され、ふた体のしめ方によって移動しうる金網を配置したカートリッジ式タンクの態様を示す概略断面図である。
【図１０】心棒を回転させることよって移動しうる網状の押さえ板を配置したカートリッジ式タンクの態様を示す概略断面図である。
【図１１】（Ａ）は網状の押さえ板がタンク内に形成された凸部に適合した状態を示す概略図であり、（Ｂ）は、タンク内に形成された凸部によって網状の押さえ板が固定された状態を示す概略図である。
【図１２】ネジを切った支柱にナットによって移動可能に取りつけられた金網を配置したカートリッジ式タンクの態様を示す概略断面図である。
【符号の説明】
１０    ろ過装置
１２Ａ、１２Ｂ  連結具
１４Ａ  ろ過層の内筒
１４Ｂ  ろ過層の外筒
１６    被処理水を供給するパイプ
１８    ろ過材
２０Ａ、２０Ｂ  金網（ろ過材の流失を防止する金網）
２２  排出パイプ
２４  カートリッジ式タンク
２６  ドーナツ状チューブ
３２  二重膜構造を有するタンク
３６  カートリッジ式タンク
３６Ａ  カートリッジ式タンクのケーシング
３６Ｂ  カートリッジ式タンクのふた体
４２    支柱に配置された移動可能な金網
４６  カートリッジ式タンク
４６Ａ  カートリッジ式タンクのケーシング
４６Ｂ  カートリッジ式タンクのふた体
５２    ふた体に連結された移動可能な金網
５６  カートリッジ式タンク
５８  網状の押さえ板
６０  タンク内に形成された凹部
【図１】
0003641077.tif 000002
【図２】
0003641077.tif 000003
【図３】
0003641077.tif 000004
【図４】
0003641077.tif 000005
【図５】
0003641077.tif 000006
【図６】
0003641077.tif 000007
【図７】
0003641077.tif 000008
【図８】
0003641077.tif 000009
【図９】
0003641077.tif 000010
【図１０】
0003641077.tif 000011
【図１１】
0003641077.tif 000012
【図１２】
0003641077.tif 000013